(57)【要約】      （修正有）【課題】動物を水の中から、引き上げる事ができる動物用ウェットスーツを提供する。【解決手段】動物用ウェットスーツ1は、動物に巻き回すベルト５と、ベルト５と連結して後ろ足上部に取り外し可能な取手４と、を有する事を特徴とし、中央部から後方に、上部ベルト通し穴２１、後ろ足前側ベルト通し穴２２、後ろ足後ろ側ベルト通し穴２３を、左右それぞれに有する。ベルトは、各ベルト通し穴に通され、長さ調整と取り外し可能な金具により、取手と連結される動物用ウェットスーツである。【選択図】図１
0003182229.tif 000002
【実用新案登録請求の範囲】
【請求項１】
動物用ウェットスーツであって、動物に巻き回すベルトと、ベルトと連結して後ろ足上部に取り外し可能な取手とを有する事を特徴とする動物用ウェットスーツ。
【請求項２】
中央部から後方に、上部ベルト通し穴、後ろ足前側ベルト通し穴、後ろ足後ろ側ベルト通し穴を、左右それぞれに有する請求項１に記載の動物用ウェットスーツ。
【請求項３】
ベルトは、各ベルト通し穴に通され、長さ調整と取り外し可能な金具により、取手と連結される請求項１又は２に記載の動物用ウェットスーツ。
【考案の詳細な説明】
【技術分野】
【０００１】
この考案は、犬がサーフィンなどの水遊びをする際の、ボードや岸へ持ち上げる為の動物用ウェットスーツに関する。
【背景技術】
【０００２】
従来、動物、特に犬がサーフィンをすることが知られており、犬にサーフィンをさせるときに用いる犬用ウェットスーツも知られている。例えば特許文献１には犬用のウェットスーツが開示されている。しかしながら、このようなウェットスーツはウェットスーツ自体の機能としては良くとも、海に落ちた犬を舟やボートに引っ張り上げる際には、つかみどころがないため、うまくつかめず、時間を要したり、掴み損なうという問題点があった。
【先行技術文献】
【特許文献】
【０００３】
【特許文献１】特開２００８−８６２６５号公報
【考案の概要】
【考案が解決しようとする課題】
【０００４】
本考案は動物を水の中から、簡単に引き上げる事ができる動物用ウェットスーツを提供することにある。
【課題を解決するための手段】
【０００５】
本考案は、
１）動物用ウェットスーツであって、動物に巻き回すベルトと、ベルトと連結して後ろ足上部に取り外し可能な取手とを有する事を特徴とする動物用ウェットスーツ。
２）中央部から後方に、上部ベルト通し穴、後ろ足前側ベルト通し穴、後ろ足後ろ側ベルト通し穴を、左右それぞれに有する１）に記載の動物用ウェットスーツ。
３）ベルトは、各ベルト通し穴に通され、長さ調整と取り外し可能な金具により、取手と連結される１）又は２）に記載の動物用ウェットスーツ。
である。
【０００６】
本考案を図でもって説明する。
図１は、動物用ウェットスーツの図である。
動物用ウェットスーツは、動物に着用させるウェットスーツと、動物に巻き回すベルトと、取手と、ベルトと取手とを連結する金具と、を有する。
動物用ウェットスーツは、動物の後ろ脚を通す部分に、支持ベルトを通す事で、取手引き揚げ時に、犬の体重を支持ベルトで支える構造である。
取手を設けることにより、舟やボートから水中を泳いでいる動物を引き寄せ、引き上げることが可能となる。
【０００７】
ウェットスーツは、中央部から後方に、上部ベルト通し穴、後ろ足前側ベルト通し穴、後ろ足後ろ側ベルト通し穴を、左右それぞれに有する。
各ベルト通し穴の内側には、補強パッチが取り付けられ、穴の引き裂かれを防止している。また、ウェットスーツは、上部において、ウェットスーツの左右端部を脱着する面ファスナーを設けてもよい。
ベルトは、各ベルト通し穴に通され、長さ調整と取り外し可能な金具により、取手と連結することにより、動物を引き上げる際に体全体をバランスよく持ち上げることが可能となる。取手は、動物の後ろ足上部に配置される。
金具は、第一部材と第二部材とを有する。第一部材は、ベルトの長さ調整が可能に連結されている。第二部材は取手の左右端部にそれぞれ取付けられている。
そして、第一部材と第二部材は、着脱自在に係合する。
【０００８】
本実施形態の動物用ウェットスーツは、次の手順で使用される。
動物にウェットスーツを着用する際、床又は地面にウェットスーツを広げた状態で動物の脚を通し、ウェットスーツを引き上げて上部の面ファスナーを閉じる事により、着用させる。次に、ベルトに連結された金具の第一部材に、取手が取付けられた第二部材を係合させる。これにより、ウェットスーツに取手が取り付けられる。
【０００９】
ここで、犬を不安定なボードの上に引き上げる際、犬の前足は自らボードの上に掛ける事が出来るが、後ろ足を上げる事が出来ない為、人間が補助する為の取手が必要となる。動物用ウェットスーツは、ウェットスーツに取手を取り付けることで、使用者は、この取手を持って、動物を水の中から、例えば、不安定なサーフボードやボート等の上に引き上げたり、引き寄せたりする事ができる。
また、ウェットスーツは、素材的に柔らかい為、ウェット地だけでは、犬の体重を支える事が出来ず、ベルトを犬の後ろ足に通す事で、引き上げ作業が可能となる。
また、取手は、着脱自在なので、例えば、ウェットスーツを動物に着用させる際に取り外すことで、容易にウェットスーツを動物に着用させることができる。
【考案の効果】
【００１０】
本考案は、動物を水の中から、引き上げる事ができる動物用ウェットスーツを提供できる。
【図面の簡単な説明】
【００１１】
【図１】動物用ウェットスーツ１の説明図である。
【図２】支持ベルト５の側面透視図である。
【図３】支持ベルト５の後方透視図である。
【考案を実施するための形態】
【００１２】
図１は、動物用ウェットスーツ１の説明図である。
動物用ウェットスーツは、動物に着用させるウェットスーツと、動物に巻き回すベルトと、取手と、ベルトと取手とを連結する金具と、を有する。
動物用ウェットスーツは、動物の後ろ脚を通す部分に、支持ベルトを通す事で、取手引き揚げ時に、犬の体重を支持ベルトで支える構造である。
【００１３】
ウェットスーツは、一般的なウェット生地を縫製及びボンドでの接着により、成型される。ウェットスーツの中央部から後方に、上部ベルト通し穴、後ろ足前側ベルト通し穴、後ろ足後ろ側ベルト通し穴を、左右それぞれに有する。
各ベルト通し穴の内側には、補強パッチが取り付けられ、穴の引き裂かれを防止している。また、ウェットスーツは、上部において、ウェットスーツの左右端部を脱着する面ファスナーが設けられている。
ベルトは、各ベルト通し穴に通され、長さ調整と取り外し可能な金具により、取手と連結される。
取手は、動物の後ろ足上部より、やや前方に配置される。
金具は、第一部材と第二部材とを有する。第一部材は、ベルトの長さ調整機能を有し、ベルトに連結されて、後ろ脚上部に左右一対が設けられる。第二部材は取手の左右端部にそれぞれ取付られている。取手はベルトの芯材の上にウェット生地で作られた取手カバーとからなる。
そして、第一部材と第二部材は、着脱自在に係合する。
【００１４】
本実施形態の動物用ウェットスーツは、次の手順で使用される。
動物にウェットスーツを着用する際、床又は地面にウェットスーツを広げた状態で動物の脚を通し、ウェットスーツを引き上げて上部の面ファスナーを閉じる事により、着用させる。次に、ベルトに連結された金具の第一部材に、取手が取付られた第二部材を係合させる。これにより、ウェットスーツに取手が取り付けられる。
ここで、犬を不安定なボードの上に引き上げる際、犬の前足は自らボードの上に掛ける事が出来るが、後ろ足を犬自ら引き上げる事が出来ない為、人間が補助する際の取手が必要となる。動物用ウェットスーツは、ウェットスーツに取手を取り付けることで、使用者は、この取手を持って、動物を水の中から、例えば、不安定なサーフボードやボート等の上に引き上げたり、引き寄せたりする事ができる。
【００１５】
また、ウェットスーツは、素材的に柔らかい為、ウェット地だけでは、犬の体重を支える事が出来ず、ベルトを犬の後ろ足に通す事で、引き上げ作業が可能となる。
また、取手は、着脱自在なので、例えば、ウェットスーツを動物に着用させる際に取り外すことで、容易にウェットスーツを動物に着用させることができる。
【符号の説明】
【００１６】
１      動物用ウェットスーツ
２１    上部ベルト通し穴
２２  後ろ足前側ベルト通し穴
２３  後ろ足後ろ側ベルト通し穴
３３  面ファスナー
４    取手
５      ベルト
６      金具
６１  第一部材
６２  第二部材
【図１】
0003182229.tif 000003
【図２】
0003182229.tif 000004
【図３】
0003182229.tif 000005